(57)【特許請求の範囲】
【請求項１】
網状物を下方から受け得る支持部の下面側に、該支持部の外周縁から外方に突出しない状態で、前記網状物の網目部を着脱可能の引っ掛かり状態で下方から支持する引掛け片が設けられていることを特徴とする網状物の支持具。
【請求項２】
下端が開放し且つ上面が球面状を呈して該上面で網状物を下方から受け得る支持部の下面側に、前記網状物の網目部を着脱可能の引っ掛かり状態で下方から支持する引掛け片が、該支持部の外周縁から外方に突出しない状態で突設されていることを特徴とする網状物の支持具。
【請求項３】
下端が開放し且つ上面が球面状を呈して該上面で網状物を下方から受け得る支持部の下端の内周縁に、網状物の網目部を着脱可能の引っ掛かり状態で下方から支持する引掛け片が内方に向けて突設されると共に、該支持部に、前記引掛け片と上下対向する状態で、該引掛け片を上から目視可能に開口が設けられていることを特徴する網状物の支持具。
【請求項４】
下端が開放し且つ上面が球面状を呈して該上面で網状物を下方から受け得る支持部の下端の内周縁に、その周方向に略９０度の角度を置いて、網状物の網目部を着脱可能の引っ掛かり状態で下方から支持する引掛け片の４つが内方に向けて突設されており、該支持部に、夫々の引掛け片と上下対向する状態で、該引掛け片を上から目視可能に開口が設けられていることを特徴する網状物の支持具。
【請求項５】
下端が開放し且つ上面が球面状を呈して該上面で網状物を下方から受け得る支持部の下端の内周縁に、その周方向に略９０度の角度を置いて、網状物の網目部を着脱可能の引っ掛かり状態で下方から支持する引掛け片の２つが内方に向けて突設されており、該支持部に、夫々の引掛け片と上下対向する状態で、該引掛け片を上から目視可能に開口が設けられていることを特徴する網状物の支持具。
【請求項６】
前記引掛け片は、内方に向けて突出する突出片の先端側に、引っ掛けられた網目部の脱落を防止するストッパ片が上向きに突設されていることを特徴する請求項２、３、４又は５記載の網状物の支持具。
【請求項７】
網状物を下方から受け得る支持部の下面側に、該支持部の外周縁から外方に突出しない状態で、前記網状物の網目部を着脱可能の引っ掛かり状態で下方から支持する引掛け片が設けられ、該引掛け片は、前記支持部の下縁部に、垂直面内で回動可能に取り付けられており、該引掛け片が前記支持部の外周縁から外方に突出した回動状態で、前記網状物の網目部に引っ掛かり可能となされ、該引掛け片が、内方に回動して、前記支持部の下面側に固定状態とされることを特徴とする網状物の支持具。
【請求項８】
網状物を下方から受け得る支持部の下面側に、該支持部の外周縁から外方に突出しない状態で、前記網状物の網目部を着脱可能の引っ掛かり状態で下方から支持する引掛け片が設けられ、該引掛け片は、前記支持部の下縁部に、垂直面内で回動可能に取り付けられており、該引掛け片が前記支持部の外周縁から外方に突出した回動状態で、前記網状物の網目部に引っ掛かり可能となされ、該引掛け片が、内方に回動して、前記支持部の下面側に設けた係止部と係合することにより、該引掛け片が前記支持部の下面側に固定状態とされることを特徴とする網状物の支持具。
【請求項９】
下端が開放し且つ上面が球面状を呈して該上面で網状物を下方から受け得る支持部の下端の内周縁に、前記網状物の網目部を着脱可能の引っ掛かり状態で下方から支持する引掛け片が内方に向けて突設されると共に、該引掛け片は、前記支持部の下縁部に、垂直面内で回動可能に取り付けられており、該引掛け片が、前記支持部の外周縁から外方に突出した回動状態で、前記網状物の網目部に引っ掛かり可能となされ、該引掛け片が、内方に回動して、前記支持部の下面側に設けた係止部と係合することにより、該引掛け片が前記支持部の下面側に固定状態とされることを特徴とする網状物の支持具。
【請求項１０】
前記支持部の下面側の中央部に、支柱の上端部分を挿入させ且つ該上端部分に連結される挿入凹部が設けられていることを特徴する請求項１〜９のいずれかに記載の網状物の支持具。
【請求項１１】
前記支持部の下面側の中央部に、支柱の上端部分に設けた凹部に挿入され且つ該凹部に連結される挿入突部が設けられていることを特徴とする請求項１〜９のいずれかに記載の網状物の支持具。
【発明の詳細な説明】
【０００１】
【発明の属する技術分野】
本発明は、防鳥や防虫、防風、遮光等のために覆った網状物を下方から受けて該網状物を引っ掛かり状態で簡易且つ確実に止着し得る網状物の支持具に関するものである。
【０００２】
【従来の技術】
農業や園芸業において、野菜等の植物を鳥や虫、風の被害から守り、又、適度の遮光を図るために、野菜畑等の上方を網状物で覆うと共に、畑の周縁側で立設した支柱によって該網状物を所要に支持することが行われている。
【０００３】
支柱による網状物の支持手段としては、通常、網状物を支柱に釘止めしたり、網状物を支柱に紐等で結び付けることが行われていたが、その他、例えば実用新案登録第３０７８６４７号公報が開示するような止め具を用い、網状物を上から押さえるように該止め具の掛止部を網状物に引っ掛けると共に、該止め具の下端側を地中に差し込むことも行われていた。
【０００４】
しかしながら、該止め具は、網状物を上から押さえるように止着するものであったため、網状物を一定高さに浮き上げて止着した場合は、網状物の縁部分が下方に引っ張られたときに、前記引っ掛かり状態が解除されてしまうか或いは引っ掛かり状態が不安定化する問題があった。かかることから該止め具は、主として、土壌表面を覆う網状物の縁部の止着に用いられるものであった。
【０００５】
【特許文献１】
実用新案登録第３０７８６４７号公報（第５−６頁、図１−３）
【０００６】
【発明が解決しようとする課題】
本発明は、かかる従来の問題点に鑑みて開発されたものであり、農業や園芸業において、野菜等を鳥や虫、風の被害から守り、又、適度の遮光を図るために、網状物を所要高さに浮き上げて安定的に支持できると共に、従来のように、網状物を釘止めしたり紐で結び付ける等の面倒な作業を要することなく、網状物を簡易に引っ掛かり状態で支持し得る網状物の支持具の提供を課題とするものである。又、支持部の上面で網状物を引っ掛かりなく滑らせて、該網状物を張った状態で支持させることが容易である網状物の支持具の提供を課題とするものである。加えて、網状物の着脱を容易に行うことのできる網状物の支持具の提供を課題とするものである。
【０００７】
【課題を解決するための手段】
前記課題を解決するため、本発明は以下の手段を採用する。
即ち本発明に係る網状物の支持具は、網状物を下方から受け得る支持部の下面側に、該支持部の外周縁から外方に突出しない状態で、前記網状物の網目部を着脱可能の引っ掛かり状態で下方から支持する引掛け片が設けられていることを特徴とするものである。
【０００８】
本発明に係る支持具のより具体的な態様は、下端が開放し且つ上面が球面状を呈して該上面で網状物を下方から受け得る支持部の下面側に、前記網状物の網目部を着脱可能の引っ掛かり状態で下方から支持する引掛け片が、該支持部の外周縁から外方に突出しない状態で突設されていることを特徴とするものである。
【０００９】
本発明に係る支持具のより具体的な他の態様は、下端が開放し且つ上面が球面状を呈して該上面で網状物を下方から受け得る支持部の下端の内周縁に、網状物の網目部を着脱可能の引っ掛かり状態で下方から支持する引掛け片が内方に向けて突設されると共に、該支持部に、前記引掛け片と上下対向する状態で、該引掛け片を上から目視可能に開口が設けられていることを特徴するものである。
【００１０】
本発明に係る支持具のより具体的なその他の態様は、下端が開放し且つ上面が球面状を呈して該上面で網状物を下方から受け得る支持部の下端の内周縁に、その周方向に略９０度の角度を置いて、網状物の網目部を着脱可能の引っ掛かり状態で下方から支持する引掛け片の４つが内方に向けて突設されており、該支持部に、夫々の引掛け片と上下対向する状態で、該引掛け片を上から目視可能に開口が設けられていることを特徴するものである。
【００１１】
本発明に係る支持具のより具体的なその他の態様は、下端が開放し且つ上面が球面状を呈して該上面で網状物を下方から受け得る支持部の下端の内周縁に、その周方向に略９０度の角度を置いて、網状物の網目部を着脱可能の引っ掛かり状態で下方から支持する引掛け片の２つが内方に向けて突設されており、該支持部に、夫々の引掛け片と上下対向する状態で、該引掛け片を上から目視可能に開口が設けられていることを特徴するものである。
【００１２】
上面が球面状を呈する前記各支持部において、前記引掛け片を、内方に向けて突出する突出片の先端側に、引っ掛けられた網目部の脱落を防止するストッパ片が上向きに突設されたものとして構成するのがよい。
【００１３】
本発明に係る支持具のより具体的なその他の態様は、網状物を下方から受け得る支持部の下面側に、該支持部の外周縁から外方に突出しない状態で、前記網状物の網目部を着脱可能の引っ掛かり状態で下方から支持する引掛け片が設けられ、該引掛け片は、前記支持部の下縁部に、垂直面内で回動可能に取り付けられており、該引掛け片が前記支持部の外周縁から外方に突出した回動状態で、前記網状物の網目部に引っ掛かり可能となされ、該引掛け片が、内方に回動して、前記支持部の下面側に固定状態とされることを特徴とするものである。
【００１４】
この場合、内方に回動した引掛け片が前記支持部の下面側に設けた係止部と係合して、該引掛け片が前記支持部の下面側に固定状態とされるように構成するのがよい。
【００１５】
本発明に係る支持具のより具体的なその他の態様は、下端が開放し且つ上面が球面状を呈して該上面で網状物を下方から受け得る支持部の下端の内周縁に、前記網状物の網目部を着脱可能の引っ掛かり状態で下方から支持する引掛け片が内方に向けて突設されると共に、該引掛け片は、前記支持部の下縁部に、垂直面内で回動可能に取り付けられており、該引掛け片が、前記支持部の外周縁から外方に突出した回動状態で、前記網状物の網目部に引っ掛かり可能となされ、該引掛け片が、内方に回動して、前記支持部の下面側に設けた係止部と係合することにより、該引掛け片が前記支持部の下面側に固定状態とされることを特徴とするものである。
【００１６】
前記各支持具において、前記支持部の下面側の中央部に、支柱の上端部分を挿入させ且つ該上端部分に連結される挿入凹部を設けるのがよい。これとは逆に、前記支持部の下面側の中央部に、支柱の上端部分に設けた凹部に挿入され且つ該凹部に連結される挿入突部を設けることもある。
【００１７】
【発明の実施の形態】
以下、本発明の実施の形態を図面に基づいて説明する。
図１〜５、図９〜１０において本発明に係る網状物の支持具（以下支持具という）１は、例えば防鳥用の網状物２を下方から受け得る支持部３の下面側に、該支持部３の外周縁５から外方に突出しない状態で、該網状物２の網目部６を着脱可能の引っ掛かり状態で下方から支持する引掛け片７が設けられている。
【００１８】
前記支持部３は、図２に示すように、下端９が開放し且つ上面１０が半球面状（球面状の一種）を呈する椀形に形成されており、前記網目部６を潜り抜けることができない直径のものである。又該支持部３の下端の内周縁１１に、その周方向に略９０度の角度を置いて、４つの引掛け片７，７，７，７が、内方に向け半径方向で突設されている。該引掛け片７は、先端が半円弧状をなし且つその下面１２が前記支持部３の下端と面一状態で略水平に突設された平板状の突出片１３を具え、その先端側の上面中央部に、例えば円柱状のストッパ片１５が上向きに突設されている。
【００１９】
又前記支持部３の下端寄り部位に、図１〜２、図６に示すように、夫々の引掛け片７，７，７，７と上下対向する状態で、該引掛け片７を上から目視可能に開口１６が設けられている。該開口１６は、上下に長く形成され、その上端縁１７は半円弧状を呈すると共に、その下端縁１９は、若干上に突の円弧状に形成されている。
【００２０】
又、前記支持部３の凹面をなす下面側２０の中央部に、図２〜３に示すように、円形パイプからなる支柱２１の上端部分２２を挿入させる円形の挿入凹部２３を有する挿入筒部２５が下方向に突設されている。該挿入凹部２３は、上半分をなす上の挿入凹部２３ａの下端に、段差２６を介して稍大径の下の挿入凹部２３ｂが連設されると共に、挿入筒部２５の外周面と前記支持部の下面側２０とに一体化した状態で、４枚の補強リブ２７，２７，２７，２７が、周方向に９０度の角度ピッチで設けられている。
【００２１】
かかる構成を有する支持部３の各部の寸法を例示すれば、下端外径が約１４９ｍｍで、下端内径が約１４４ｍｍに設定されている。又、前記突出片１３の突出長さは約１４ｍｍでその幅は約９ｍｍに設定されると共に、前記ストッパ片１５の直径は約４．７ｍｍで、その突出長さは約４．１ｍｍに設定されている。
【００２２】
又前記開口１６は、その横幅が約１５ｍｍで、前記上面１０に沿う上下長さは約２６ｍｍに設定されている。そして、該開口１６を通して上から前記引掛け片７を見たときに、図６に示すように、前記突出片１３が該開口１６の横方向中央部に位置し、又前記ストッパ片１５が、該開口１６の先端寄りに位置するようになされている。更に、前記挿入筒部２５の外径は約２８ｍｍに設定されると共に、前記上の挿入凹部２３ａの内径は約１８．７ｍｍで、下の挿入凹部２３ｂの内径は約２２．２ｍｍに設定されている。
【００２３】
図３は、支柱２１の上端部分２２を前記上の挿入凹部２３ａに稍窮屈に挿入した状態を示すものであり、又図７は、上端にキャップ２９が嵌着されてなる支柱２１の該キャップ部分３０を、前記下の挿入凹部２３ｂに稍窮屈に挿入した状態を示すものである。又図８は、より太径の支柱２１の上端部分（キャップを有さない）２２を前記下の挿入凹部２３ｂに稍窮屈に挿入した状態を示すものである。これらの支柱２１は、網状物２を地面から、例えば８０〜３００ｃｍの高さで支持する。
【００２４】
次に、かかる構成を有する支持具１の使用状態を、野菜畑３１の野菜を鳥の被害から防ぐための網状物（防鳥網）２を支持する場合について説明する。
図９〜１０は、例えば縦横が夫々約６ｍ、約３ｍである野菜畑３１の上方を、８０ｃｍ程度の高さで網状物２で覆い、該網状物２を支持具１で支持した状態を示している。なお図９においては、説明の便宜上、支持具１と支柱２１を実線で示している。
【００２５】
先ず、支柱２１の上端部分２２を前記支持具１の挿入凹部２３に挿入状態にして該支柱２１の上端に支持具１を固定し、支柱付き支持具を構成する。該支柱付き支持具の支柱２１を、野菜畑３１の周縁部と中間部において、支柱間１．５ｍで配置し、その下端側３２を地面３３に垂直状態に差し込み、支柱２１の立設高さを８０ｃｍ程度とする。
【００２６】
その後、このように配設された各支持具１上に前記網状物２を被せ、該網状物２を張った状態にしてこれを支持具１に支持させる。
【００２７】
より具体的には、網状物２を張った状態にする際、支持部３の上面１０が球面状を呈し、且つ引掛け片７が支持部３の外周縁５から外方に突出しないため、該網状物２は、支持部の上面１０で受けられた状態で引っ掛かりなく自由に横移動でき、従って網状物２を、支持具１上で支障なく広げることができる。そして、網状物の周縁側３５は、例えば、外周に位置する支持具１ａから垂れ下がり、その下端側３６が地面３３に載った状態とされる。
【００２８】
その後、野菜畑３１の周縁部に配設されている支持具１の所要の引掛け片７に網状物２の網目部６を引っ掛けるのであるが、この際、図１２に示すように、該引掛け片７を前記開口１６を通して上から目視できるため、該引掛け片７に対する網目部６の引っ掛け作業を、目で確認しながら容易且つ確実に行うことができる。この引っ掛けは、例えば図１３に示すように、外側に位置する２つの引掛け片７ａ，７ａについて行う。引掛け片７に網目部６が引っ掛けられると、図４〜５に示すように、網状物２が、下方から支持されることになる。そして、引掛け片７に引っ掛けられた網目部６は、上向きに突出する前記ストッパ片１５に阻止されて、引掛け片７から脱落しない。
【００２９】
これにより、紐等の特別な止め具を用いることなく、網状物２の網目部６を、着脱可能の引っ掛かり状態で下方から支持でき、網状物２が上方に引っ張られた場合も、下方に引っ張られた場合も、これを安定状態で支持できる。そして図９に示すように、野菜畑３１の上方部を網状物２によって、防鳥のために安定的に覆われた状態となし得る。
【００３０】
このように覆われた網状物２を、野菜畑の草取り作業等に際して取り外す必要のあるときは、引掛け片７に対する網目部６の引っ掛かり状態を前記開口１６を通して目視しながら、該網目部６を引掛け片７から取り外す。
【００３１】
図１４は、本発明に係る支持具１の他の態様を示すものであり、前記と略同様の椀形に形成された支持部３の下縁部に、引掛け片７を垂直面内で回動可能に設けた構成を有している。
【００３２】
前記支持部３の下端寄り部位には、周方向に略９０度の角度を置いて、前記と同様の開口１６，１６，１６，１６が設けられ、該開口１６の下縁部分は断面円形の枢軸３７として形成されている。
【００３３】
又前記引掛け片７は、図１４〜１６に示すように、平板状片３９の基端に、前記枢軸３７を弾性的に抱持し得る円弧状屈曲片４０が連設されると共に、該平板状片３９の先端には、例えば鉤状をなす係止部４１が設けられている。そして図１４に示すように、前記円弧状屈曲片４０が前記枢軸３７を弾性的に抱持した状態とされることにより、引掛け片７は、垂直な面内で回動でき、図１４に示すように前記支持部３の外周縁５から外方に突出した状態となり得る。このとき、前記係止部４１が下向き状態になる。この状態から引掛け片７を下向きに回動させると共に、その後、上向きに回動させると（図１６において反時計回りＦ１に回動させると）、図１６に示すように、前記係止部４１の先端係止部４２が、前記開口１６の上縁部分の下面で突設された突状の係合部４３と係合状態となり、これにより引掛け片７が、支持部３の下面側に固定状態となる。
【００３４】
かかる構成を有する支持部３は、前記と同様にして支柱２１の上端に固定され、該支柱２１の下端側が地面に垂直状態に差し込まれる。支持部３の上面１０が球面状を呈することから、野菜畑３１等の上方を覆った網状物２を該支持具１で支持するに際しては、前記先端係止部４２と前記係合部４３との係合を解除して、図１６に示す時計回りＦ２に引掛け片７を回動させ、該引掛け片７を、図１４に示すように支持部３の外周縁５から外方に突出した回動状態とする。この状態で、前記係止部４１を網状物２の網目部６に引っ掛け状態となし得る。その後、該引掛け片７を反時計回りＦ１に回動させると共に前記先端係止部４２と前記係合部４３とを係合させると、図１６に示すように、引掛け片７が、網状物２の網目部６を引っ掛かり状態で下方から支持できる。
【００３５】
このように引掛け片７を回動可能に構成した場合は、該引掛け片７を外方に突出した回動状態とすることにより、引掛け片７を網状物２に引っ掛ける作業を、目で確認しながら容易に行うことができる。そして該引っ掛け状態を解除するには、前記先端係止部４２と前記係合部４３との係合を解除し、引掛け片７を図１６に矢印で示す時計回りＦ２に回動させることによって容易に行うことができる。
【００３６】
図１７は、引掛け片７を垂直面内で回動可能とした支持具１の他の態様を示すものであり、係止部４１が先端に設けられた引掛け片７の基端側４５を、前記と同様の椀形をなす支持部３の下端の内縁に、蝶番状屈曲片４６を介して連結した構成を有している。該引掛け片７は、図１７に一点鎖線で示すように、支持部３の下端の外方に突出した状態と、引掛け片７の先端側をなす係止部４１の先端係止部４２と支持部３に設けた係合部４３とが係合した状態との間で回動でき、該引掛け片７を、一点鎖線で示すように外方に突出した回動状態とすることにより、引掛け片７を網状物２に引っ掛ける作業を、目で確認しながら容易に行うことができる。
【００３７】
その後、該引掛け片７を反時計回りＦ３に回動させ、前記先端係止部４２と前記係合部４３とを係合させることにより、引掛け片７が網目部６に引っ掛かった状態で、網状部２を下方から支持できることになる。
【００３８】
又図１８〜１９は、引掛け片７を回動可能に構成したその他の態様を示すものであり、先端側に係止部４１を具えた引掛け片７の基端側４５を、前記と同様の構成を有する支持部３の開口１６の下縁部下方に突設した軸受４７，４７で、枢軸４９を介して連結してなる。該引掛け片７は前記と同様に作用できる。
【００３９】
図２０は、本発明に係る支持具１のその他の態様を示すものであり、前記と同様に椀形に形成された支持部３の下面側２０の中央部に設けた支柱連結用の挿入筒部２５の外周面５２に、外方に向けて突出する突出片５０の先端に引掛け突部５１を上向きに突設してなる引掛け片７の該突出片５０の基端を固設した構成を有している。又、支持部３の上端寄り部位に、夫々の引掛け片７と上下対向する状態で、該引掛け片７を上から目視可能に開口１６が設けられている。そして、支持部３の上面１０で受けられた網状物２の網目部６が、該引掛け片７によって、着脱可能の引っ掛かり状態で下方から支持される。
【００４０】
又図２１は、本発明に係る支持具１のその他の態様を示すものであり、前記と同様に椀形に形成された支持部３の開口１６の下縁部下端において、網状物２の網目部６を着脱可能の引っ掛かり状態で下方から支持する引掛け片７を、内方に向け下方に傾斜する状態で突設し、且つその先端に、引っ掛けられた網目部６の脱落を防止する引掛け突部５５を上向きに突設した構成を有しており、該引掛け片７を前記開口１６を通して上から目視可能である。
【００４１】
〔その他の実施の形態〕                                                  本発明は、前記実施の形態で示したものに限定されるものでは決してなく、「特許請求の範囲」の記載内で種々の設計変更が可能であることはいうまでもない。その一例を挙げれば次のようである。
【００４２】
(1) 本発明に係る支持具１を構成する支持部３は、前記実施の形態で示したような、上面１０が球面状を呈するものには特定されず、網状物２を下方から受け得るものであれば、平板状を呈するものや多角錐状を呈するもの等であってもよい。これらの場合においても、該支持部３に、引掛け片７と上下対向する状態で、該引掛け片７を上から目視可能に開口１６を設けるのがよい。
【００４３】
(2) 支持部が、椀形等の、上面１０が球面状を呈するものとして構成される場合、該支持部３に前記のような開口１６が設けられないこともある。
【００４４】
(3) 支持部の下面側２０に設けられる引掛け片７は、該支持部３の外周縁から外方に突出しない状態で設けられ、網状物２の網目部６を着脱可能の引っ掛かり状態で下方から支持し得るものであれば、前記実施の形態で示したものの他、例えば図２２に示すように、支持部３の下面側２０の中間所要部位に設けられることもある。
又、引掛け片７の個数は、例えば図２に示すように、支持部３の周方向に略９０度の角度を置いて４個設けられるのが好ましいが、周方向に略９０度の角度をおいて２個設けられることもある。
又引掛け片７は、１個設けられることもある他、支持部の周方向に小間隔を置いて並設されることもある。
又、複数個設けられる場合であっても、周方向に略９０度の角度を置いて設けられるとは限らない。
【００４５】
(4) 引掛け片７を垂直面内で回動可能に構成する場合、前記係止部４３が省略され、該引掛け片７が、バネ作用により支持部の下面側に当接状態となって該支持部の下面側に固定状態とされることもある。
【００４６】
(5) 図２３は、支柱２１の上端部分に対する支持部３の他の連結態様を示すものであり、例えば椀形をなす支持部３の下面側の中央部に、支柱２１の上端部分２２に設けた凹部５６に密接に挿入される挿入突部５７を設けてなる。
又支持部３が、別体形成された支柱の上端部分に連結される場合、両者の連結手段は、前記実施の形態で示したような挿入方式には特定されず、例えば面状ファスナーや適宜の挾持手段等を用いて着脱可能に連結されることもある。
【００４７】
(6) 本発明に係る支持具１は、その下面側に、支柱が一体に連結されることもある。
【００４８】
(7) 支持部で支持される網状物は、前記防鳥網としての他、防虫や遮光、イタチや狸等の動物の進入を防ぐ等のために使用されるもので、使用目的に応じて、網目の大きさや使用する糸の太さが所要に設定されるものであり、編物製でも織物製でもよい。
【００４９】
【発明の効果】
本発明は、以下の如き優れた効果を奏する。
(1) 本発明に係る支持具は、網状物を下方から受け得る支持部の下面側に、該支持部の外周縁から外方に突出しない状態で、該網状物の網目部を着脱可能の引っ掛かり状態で下方から支持する引掛け片が設けられた構成を有する。
かかることから本発明によるときは、下端側が地面に差し込まれた支柱の上端部分に該支持具を連結状態とすることにより、網状物の網目部を引掛け片に引っ掛り状態にする簡易な手段によって該網状物を確実に支持できることになる。しかもその支持状態は、引掛け片が、網目部を下方から支持するものであるため、引掛け片の引っ掛かり部分に上方向に外力が作用したときにも、又、下方向に外力が作用したときにも、網状物を確実に支持できる。
又本発明に係る支持具は、前記引掛け片が、支持部の外周縁から外方に突出しない状態で設けられているため、網状物を張った状態とする際にこれが弛んだときにも該網状物が引掛け片に引っ掛かり難く、網状物の張設作業を容易且つ確実に行うことができる。
【００５０】
(2) 前記支持部が椀形等の、上面が球面状呈する如く形成される場合は、網状物を張設する際に、該網状物が、支持部の上面で受けられた状態で引っ掛かりなく自由に横移動できることから、網状物を支持具上で支障なく広げることができ、該網状物の張設作業を容易且つ能率的に行うことができる。
【００５１】
(3) 支持部に、引掛け片と上下対向する状態で、該引掛け片を上から目視可能に開口を設ける場合は、網状物の網目部を引掛け片に引っ掛ける際や引っ掛かった状態の網目部を引掛け片から取り外す際に、これらの作業を、前記開口を通して目で確認しながら容易且つ確実に行うことができる。
【００５２】
(4) 支持部の下端に、周方向に略９０度の角度を置いて引掛け片を設ける場合は、網状物の網目部を両引掛け片に引っ掛かり状態とすることにより、網状物を張設した際における支持部の水平面内における回転を防止できる。
もしも図２４に示すように、引掛け片が１個しか設けられていないときは、網状物２の網目部６をこの引掛け片に引っ掛けた場合、網状物の張設作業に際して該網状物の一辺縁が矢印Ｆ４方向に引っ張られたときに、矢印Ｆ５で示す方向に支持部３が回転する恐れがあるが、このような回転を生じさせないで網状物をより安定的に支持し得る利点がある。
【００５３】
(5) 支持部の下端に、その周方向に略９０度の角度を置いて４個の引掛け片を設ける構成とした場合は、例えば支持具を畑のコーナ部分に配設する場合、水平面内におけるその向きによらず、４個の引掛け片の内の２個を、図１３に示すように、畑のコーナ４４の両側に位置させることが容易であり、この２個の引掛け片７，７に網状物２の網目部６を夫々引っ掛かり状態とすることにより、前記のように、網状物を張設する際における支持部の水平面内における回転を防止できることになる。
【００５４】
(6) 支持部の下端に、周方向に略９０度の角度を置いて２個又は４個の引掛け片を設けた場合において、該支持部に、夫々の引掛け片と上下対向する状態で開口が設けられているとき、即ち、引掛け片に対応して開口が設けられているときは、該開口を目印にして、両引掛け片を畑のコーナの両側に位置させることができる。
【００５５】
(7) 引掛け片を支持部の下縁部に、垂直面内で回動可能に設けた場合は、該引掛け片を、支持部の外周縁から外方に突出した回動状態とすることにより、目視しながら引掛け片を網状物に容易に引っ掛け得る利点がある。
【図面の簡単な説明】
【図１】本発明に係る支持具を上から見た斜視図である。
【図２】本発明に係る支持具を、支柱に固定された状態で示す斜視図である。
【図３】本発明に係る支持具を、支柱に固定された状態で示す断面図である。
【図４】網状物を引掛け片に引っ掛けた状態を下から見た斜視図である。
【図５】網状物を引掛け片に引っ掛けた状態を上から見た斜視図である。
【図６】本発明に係る支持具の平面図である。
【図７】支持具と支柱の他の連結状態を示す断面図である。
【図８】支持具と支柱のその他の連結状態を示す断面図である。
【図９】野菜畑の上方を覆う網状物を支持具で支持した状態を示す斜視図である。
【図１０】その断面図である。
【図１１】網状物を支持具で支持した状態を拡大して示す断面図である。
【図１２】網状物を引掛け片に引っ掛けた状態を示す平面図である。
【図１３】畑のコーナに位置する支持具で網状物を支持した状態を示す平面図である。
【図１４】引掛け片を回動方式に構成した支持具を示す斜視図である。
【図１５】引掛け片の回動構成を説明する斜視図である。
【図１６】引掛け片の回動による網状物の引掛け状態を示す断面図である。
【図１７】引掛け片を回動方式とした支持具の他の態様をその使用状態で示す断面図である。
【図１８】引掛け片を回動方式とした支持具のその他の態様を示す部分斜視図である。
【図１９】その支持具における引掛け片の回動動作を説明する断面図である。
【図２０】本発明に係る支持具のその他の態様を、網状物を引掛け片に引っ掛けた状態で示す一部欠切斜視図である。
【図２１】本発明に係る支持具のその他の態様をその使用状態で示す部分断面図である。
【図２２】本発明に係る支持具のその他の態様をその使用状態で示す部分断面図である。
【図２３】本発明に係る支持具と支柱とのその他の固定状態を示す断面図である。
【図２４】引掛け片が１個の場合の問題点を説明する平面図である。
【符号の説明】
１  支持具
２  網状物
３  支持部
５  支持部の外周縁
６  網目部
７  引掛け片
１０  支持部の上面
１６  開口
２０  支持部の下面側
２１  支柱
２５  挿入筒部
３７  枢軸
４０  円弧状屈曲片
４１  係止部
４３  係合部
【図１】
0003665784.tif 000002
【図２】
0003665784.tif 000003
【図３】
0003665784.tif 000004
【図４】
0003665784.tif 000005
【図５】
0003665784.tif 000006
【図６】
0003665784.tif 000007
【図７】
0003665784.tif 000008
【図８】
0003665784.tif 000009
【図９】
0003665784.tif 000010
【図１０】
0003665784.tif 000011
【図１１】
0003665784.tif 000012
【図１２】
0003665784.tif 000013
【図１３】
0003665784.tif 000014
【図１４】
0003665784.tif 000015
【図１５】
0003665784.tif 000016
【図１６】
0003665784.tif 000017
【図１７】
0003665784.tif 000018
【図１８】
0003665784.tif 000019
【図１９】
0003665784.tif 000020
【図２０】
0003665784.tif 000021
【図２１】
0003665784.tif 000022
【図２２】
0003665784.tif 000023
【図２３】
0003665784.tif 000024
【図２４】
0003665784.tif 000025